(57)【要約】【課題】防水性に優れ、歩行時のスリップ防止に寄与しうるインナーフットウェア２の提供。【解決手段】このインナーフットウェア２は、足４のつま先部分が載せられるベース１２と、このつま先部分を覆うフード１４と、このベース１２に対して起立するセパレータ１０とを備えている。上記フード１４は、親指側から小指側に向かって連続して延在している。このベース１２に上記つま先部分が載せられた状態において、上記セパレータ１０は親指と人差し指との間に位置する。好ましくは、このインナーフットウェア２では、上記セパレータ１０は上記ベース１２に接合している。好ましくは、このインナーフットウェア２では、上記セパレータ１０は上記フード１４に接合している。【選択図】図１
2010136966.tif 000002
【特許請求の範囲】
【請求項１】
足のつま先部分が載せられるベースと、このつま先部分を覆うフードと、このベースに対して起立するセパレータとを備えており、
上記フードが、親指側から小指側に向かって連続して延在しており、
このベースに上記つま先部分が載せられた状態において、上記セパレータが親指と人差し指との間に位置するインナーフットウェア。
【請求項２】
上記セパレータが、上記ベースに接合している請求項１に記載のインナーフットウェア。
【請求項３】
上記セパレータが、上記フードに接合している請求項１又は２に記載のインナーフットウェア。
【請求項４】
人の足が挿入される本体と、この本体の先端部分に位置しているカップとを備えており、
このカップが、足のつま先部分が載せられるベースと、このつま先部分を覆うフードと、このベースに対して起立するセパレータとを備えており、
上記フードの外面が、親指側から小指側に向かって連続して延在しており、
このベースに上記つま先部分が載せられた状態において、上記セパレータが親指と人差し指との間に位置するインナーフットウェア。
【発明の詳細な説明】
【技術分野】
【０００１】
本発明は、フットウェアの内側に履かれるインナーフットウェアに関する。
【背景技術】
【０００２】
釣り人が履くフットウェアとして、靴、ブーツ、ウェーダー等が挙げられる。防寒及び防水の目的で、釣り人はストッキング、ソックス等のようなインナーフットウェアを履いて上記フットウェアを履く場合がある。磯用ブーツのインナーに最適なインナーフットウェアが、株式会社シマノ発行の「2007 Fishing Tackle Catalogue」の第２２８ページに開示されている。
【０００３】
上記フットウェアには、その先端部分が親指の部分とそれ以外の部分とに分岐した足袋タイプのフットウェアがある。この足袋タイプのフットウェアによれば、足が路面をしっかりとらえることができる。スリップ防止の観点から、水中歩行を伴う鮎釣りや岩場の歩行を伴う磯釣りにおいては、分岐のないフットウェアでなくこの足袋タイプのフットウェアが使用される場合がある。
【非特許文献１】株式会社シマノ発行の「2007 Fishing Tackle Catalogue」
【発明の開示】
【発明が解決しようとする課題】
【０００４】
上記足袋タイプのフットウェアを履く場合、上記インナーフットウェアも足袋タイプとされる。この足袋タイプのインナーフットウェアにおいても、その先端部分は分岐している。この先端部分の形状は複雑である。
【０００５】
インナーフットウェアには、発泡体と、この発泡体に積層された布地とからなる素材が使用される。インナーフットウェアは、この素材を適切な形状に裁断し、この裁断された素材を縫製等で接合することにより、形成される。先端部分の形状が複雑であるから、このインナーフットウェアの製造には手間がかかる上にその防水処理は難しい。
【０００６】
防水性の向上の観点から、素材の接合部分にラテックスが塗布される場合がある。この場合、ラテックスからなる層の存在がインナーフットウェアの履き心地を阻害する。特に、分岐の部分を挟む親指と人差し指とにおいて、釣り人は痛みを感じてしまう。
【０００７】
上記素材の接合部分に、ナイロン布と接着剤層とからなるシールテープが使用される場合がある。この場合、親指と人差し指との間でシールテープ同士が擦れ合い、剥離が生じてしまう。このシールテープでは、インナーフットウェアの耐久性を向上させるには限界がある。
【０００８】
本発明の目的は、防水性に優れ、歩行時のスリップ防止に寄与しうるインナーフットウェアの提供にある。
【課題を解決するための手段】
【０００９】
本発明に係るインナーフットウェアは、足のつま先部分が載せられるベースと、このつま先部分を覆うフードと、このベースに対して起立するセパレータとを備えている。上記フードは、親指側から小指側に向かって連続して延在している。このベースに上記つま先部分が載せられた状態において、上記セパレータは親指と人差し指との間に位置する。
【００１０】
好ましくは、このインナーフットウェアでは、上記セパレータは上記ベースに接合している。好ましくは、このインナーフットウェアでは、上記セパレータは上記フードに接合している。
【００１１】
本発明に係る他のインナーフットウェアは、人の足が挿入される本体と、この本体の先端部分に位置しているカップとを備えている。このカップは、足のつま先部分が載せられるベースと、このつま先部分を覆うフードと、このベースに対して起立するセパレータとを備えている。上記フードの外面は、親指側から小指側に向かって連続して延在している。このベースに上記つま先部分が載せられた状態において、上記セパレータは親指と人差し指との間に位置する。
【発明の効果】
【００１２】
本発明に係るインナーフットウェアによれば、親指と人差し指との間にセパレータが位置するので、足袋を履いた場合と同様に足が路面をしっかりとらえることができる。人は、岩場又は川底をしっかり踏みしめて歩行できる。このインナーフットウェアは、歩行時のスリップ防止に寄与しうる。このインナーフットウェアでは、フードの外面が親指側から小指側に向かって連続している。このインナーフットウェアの先端部分には、足袋のような分岐はない。この先端部分の形状は複雑ではない。このインナーフットウェアの製造は容易である。このインナーフットウェアには、十分な防水処理がなされる。このインナーフットウェアは、防水性に優れる。
【発明を実施するための最良の形態】
【００１３】
以下、適宜図面が参照されつつ、好ましい実施形態に基づいて本発明が詳細に説明される。
【００１４】
図１は、本発明の一実施形態に係るインナーフットウェア２の一部が示された断面図である。図２は、図１のII−II線に沿った断面図である。この図１には、釣り人がこのインナーフットウェア２を履いている状態が示されている。図示されているように、釣り人の足４（左足）がインナーフットウェア２に挿入されている。このインナーフットウェア２は、靴、ブーツ、ウェーダー等のフットウェア（図示されず）のインナーである。
【００１５】
インナーフットウェア２は、ソール６と、アッパー８と、セパレータ１０とを備えている。このインナーフットウェア２が釣り人の足４に履かれた状態において、このソール６に足４が載せられる。このインナーフットウェア２では、ソール６の先端部分はベース１２と称される。図１に示されているように、このベース１２には足４のつま先部分が載せられる。
【００１６】
アッパー８は、筒状であり、ソール６の縁から上方に延在している。このアッパー８は、足４を覆う。このアッパー８は、足４の甲の部分において、親指側から小指側に向かって連続して延在している。このインナーフットウェア２が履かれた状態において、このアッパー８の外面は外向きに凸な形状を呈する。
【００１７】
このインナーフットウェア２では、上記アッパー８の先端部分はフード１４と称される。このフード１４の外面１６は、親指側から小指側に向かって連続して延在している。このインナーフットウェア２が履かれた状態において、このフード１４の外面１６は、外向きに凸な形状を呈している。このフード１４の形状は、略アーチ状である。図１に示されているように、このフード１４は足４のつま先部分を覆う。
【００１８】
セパレータ１０は、ベース１２に対して起立している。このセパレータ１０は、ベース１２の上面から上方に延在している。このインナーフットウェア２では、このセパレータ１０の下面はベース１２に接合されている。このセパレータ１０の上面は、上記フード１４に接合されている。図２に示されているように、このセパレータ１０により２つのホール１８が形成されている。
【００１９】
図３は、図２のIII−III線に沿った断面図である。この図３には、釣り人の足４のつま先部分が上記ベース１２に載せられている状態が示されている。図示されているように、右側のホール１８に親指が配置され、左側のホール１８に残りの４本の指が配置されている。上記セパレータ１０は、親指と人差し指との間に位置している。
【００２０】
このインナーフットウェア２を釣り人が装着すると、親指とこの親指以外の指とが足袋のように分かれて配置される。このインナーフットウェア２によれば、足袋を履いた場合と同様に足４が路面をしっかりとらえることができる。釣り人は、岩場又は川底をしっかり踏みしめて歩行できる。このインナーフットウェア２を履いて、その先端部分に足袋のような分岐がないフットウェアを履いても、釣り人は足４の踏ん張りが効いた歩行をすることができる。このインナーフットウェア２は、歩行時のスリップ防止に寄与しうる。このインナーフットウェア２を履くことにより、釣り人は磯や水中を安定に歩行できる。
【００２１】
図３において、両矢印線ＷＡはセパレータ１０の厚みを表している。このインナーフットウェア２では、安定な歩行及び履き心地の観点から、この厚みＷＡは３ｍｍ以上が好ましく、１０ｍｍ以下が好ましい。
【００２２】
インナーフットウェア２では、上記ソール６、アッパー８及びセパレータ１０は同じ素材２０からなる。この素材２０は、ポリマー発泡体２２と、この発泡体２２に積層された布地２４とを備えている。図１に示されているように、このインナーフットウェア２の素材２０では、発泡体２２が２の布地２４で挟まれている。この素材２０は、インナーフットウェア２の防水性及び防寒性に寄与しうる。図示されていないが、この発泡体２２は多数の独立気泡を含んでいる。この発泡体２２の典型的な基材ポリマーは、クロロプレンである。この基材ポリマーに、このクロロプレン以外の合成樹脂及びゴムが用いられてもよい。布地２４は、ジャージーである。この布地２４は、ナイロン繊維からなる。この布地２４の表面は、滑らかである。このため、釣り人はこのインナーフットウェア２を容易に履くことができる。このインナーフットウェア２を履いた状態においても、釣り人は上記フットウェアを容易に履くことができる。
【００２３】
このインナーフットウェア２では、上記セパレータ１０が上記素材２０とは別の素材から構成されてもよい。この別の素材としては、独立気泡を含まないポリマー成形体が例示される。この成形体の基材ポリマーとしては、合成樹脂及びゴムが例示される。合成樹脂の材質としては、ポリウレタン、ポリエステル、ポリオレフィン、ポリスチレン、ポリ塩化ビニル、エチレン−酢酸ビニル共重合体、シリコーン及び各種熱可塑性エラストマーが例示される。ゴムの材質としては、天然ゴム、ポリイソプレン、ポリブタジエン、ブタジエン−スチレン共重合体、アクリロニトリル−ブタジエン共重合体及びエチレン−プロピレン−ジエン共重合体が例示される。なお、指との接触が考慮されて、このポリマー成形体に上記布地２４が積層された素材が、上記セパレータ１０として用いられてもよい。
【００２４】
このインナーフットウェア２では、上記セパレータ１０の形状は板状である。このセパレータ１０の形状に、このセパレータ１０に接触する親指及び人差し指の形状が反映されてもよい。このセパレートの形状は、履き心地等が考慮されて適宜決められる。
【００２５】
このインナーフットウェア２は、次のようにして製造される。上記素材２０が裁断されて、ソール６、アッパー８の右側部分及びその左側部分が準備される。アッパー８の右側部分及びその左側部分の縁同士が縫製により接合され、アッパー８が形成される。このアッパー８の縁とソール６の縁とが、縫製により接合される。防水性向上の観点から、縫製により接合された部分に、ナイロン布と接着剤層とからなるシールテープ（図示されず）が貼着される。セパレータ１０が、接着剤等の手段により、親指と人差し指との間の位置に相当する位置においてソール６の先端部分としてのベース１２及びアッパー８の先端部分としてのフード１４に接合される。このようにして、図１で示されたインナーフットウェア２が得られる。
【００２６】
前述したように、このインナーフットウェア２では、フード１４の外面１６は親指側から小指側に向かって連続して延在している。このインナーフットウェア２の先端部分には、足袋のような分岐はない。このインナーフットウェア２では、その先端部分の形状は複雑ではない。このインナーフットウェア２の製造は容易である。このインナーフットウェア２には、十分な防水処理がなされる。接合部分にける穴の形成が、効果的に抑制される。このインナーフットウェア２は、防水性に優れる。このインナーフットウェア２では、セパレータ１０の、足４と接触する部分には、防水用のラテックスは使用されない。このセパレータ１０の、足４と接触する部分には、防水用のシールテープも使用されない。このセパレータ１０を親指と人差し指との間に挟んでも、釣り人は違和感や痛みを感じることもない。このインナーフットウェア２は、履き心地に優れる。
【００２７】
図４は、本発明の他の実施形態に係るインナーフットウェア２６の一部が示された断面図である。図５は、図４のＶ−Ｖ線に沿った断面図である。この図４には、釣り人がこのインナーフットウェア２６を履いている状態が示されている。図示されているように、釣り人の足４（左足）がインナーフットウェア２６に挿入されている。このインナーフットウェア２６は、本体２８と、カップ３０とを備えている。
【００２８】
本体２８は、図１のインナーフットウェア２と同等の素材３２を用いて形成される。この素材３２は、ポリマー発泡体３４と、この発泡体３４に積層された布地３６とから構成される。図示されているように、このインナーフットウェア２６には、発泡体３４は２の布地３６で挟まれている。この素材３２は、インナーフットウェア２６の防水性及び防寒性に寄与しうる。図示されていないが、この発泡体３４は多数の独立気泡を含んでいる。この発泡体３４の典型的な基材ポリマーは、クロロプレンである。布地３６は、ジャージーである。この布地３６は、ナイロン繊維からなる。この布地３６の表面は、滑らかである。このため、釣り人はこのインナーフットウェア２６を容易に履くことができる。このインナーフットウェア２６を履いた状態においても、釣り人は上記フットウェアを容易に履くことができる。
【００２９】
本体２８は、ソール３８と、アッパー４０とを備えている。図示されているように、インナーフットウェア２６が釣り人の足４に履かれた状態において、このソール３８に足４が載せられる。アッパー４０は、筒状であり、ソール３８の縁から上方に延在している。このアッパー４０は、足４を覆う。このアッパー４０は、足４の甲の部分において、略アーチ状を呈している。このアッパー４０は、親指側から小指側に向かって連続して延在している。このインナーフットウェア２６が履かれた状態において、このアッパー４０の外面は外向きに凸な形状を呈する。この本体２８の先端部分には、足袋のような分岐はない。
【００３０】
カップ３０は、上記本体２８に挿入されている。このカップ３０は、本体２８の内側に位置している。このカップ３０は、この本体２８の先端部分に位置している。このカップ３０は、ベース４２とフード４４とセパレータ４６とを備えている。図示されているように、このベース４２には、足４のつま先部分が載せられる。
【００３１】
フード４４の外面４８は、親指側から小指側に向かって連続して延在している。このインナーフットウェア２６が履かれた状態において、このフード４４の外面４８は外向きに凸な形状を呈している。このフード４４は、略アーチ状を呈している。図４に示されているように、このフード４４は足４のつま先部分を覆う。
【００３２】
セパレータ４６は、ベース４２に対して起立している。このセパレータ４６は、ベース４２の上面から上方に延在している。このインナーフットウェア２６では、このセパレータ４６の下面はベース４２に接合されている。このセパレータ４６の上面は、上記フード４４に接合されている。図５に示されているように、このセパレータ４６により２つのホール５０が形成されている。
【００３３】
図６は、図５のVI−VI線に沿った断面図である。この図６には、釣り人の足４のつま先部分が上記ベース４２に載せられている状態が示されている。図示されているように、右側のホール５０に親指が配置され、左側のホール５０に残りの４本の指が配置されている。上記セパレータ４６は、親指と人差し指との間に位置している。
【００３４】
このインナーフットウェア２６を釣り人が装着すると、親指とこの親指以外の指とが足袋のように分かれて配置される。このインナーフットウェア２６によれば、足袋を履いた場合と同様に足４が路面をしっかりとらえることができる。釣り人は、岩場又は川底をしっかり踏みしめて歩行できる。このインナーフットウェア２６を履いて、その先端部分に足袋のような分岐がないフットウェアを履いても、釣り人は足４の踏ん張りが効いた歩行をすることができる。このインナーフットウェア２６は、歩行時のスリップ防止に寄与しうる。このインナーフットウェア２６を履くことにより、釣り人は磯や水中を安定に歩行できる。
【００３５】
図６において、両矢印線ＷＢはセパレータ４６の厚みを表している。このインナーフットウェア２６では、安定な歩行及び履き心地の観点から、この厚みＷＢは３ｍｍ以上が好ましく、１０ｍｍ以下が好ましい。
【００３６】
このインナーフットウェア２６では、上記カップ３０は上記本体２８と同じ素材３２を用いて形成されてもよい。このカップ３０が、この素材３２とは別の素材から構成されてもよい。この別の素材ては、独立気泡を含まないポリマー成形体が例示される。この成形体の基材ポリマーとしては、合成樹脂及びゴムが例示される。合成樹脂の材質としては、ポリウレタン、ポリエステル、ポリオレフィン、ポリスチレン、ポリ塩化ビニル、エチレン−酢酸ビニル共重合体、シリコーン及び各種熱可塑性エラストマーが例示される。ゴムの材質としては、天然ゴム、ポリイソプレン、ポリブタジエン、ブタジエン−スチレン共重合体、アクリロニトリル−ブタジエン共重合体及びエチレン−プロピレン−ジエン共重合体が例示される。上記カップ３０が上記ポリマー成形体から形成される場合、このカップ３０は射出成形又は圧縮成形により形成されるのが好ましい。なお、指との接触が考慮されて、このポリマー成形体に上記布地３６が積層されてもよい。
【００３７】
このインナーフットウェア２６では、上記セパレータ４６の形状は板状である。このセパレータ４６の形状に、このセパレータ４６に接触する親指及び人差し指の形状が反映されてもよい。このセパレートの形状は、履き心地等が考慮されて適宜決められる。
【００３８】
前述したように、このインナーフットウェア２６では、フード４４の外面４８は親指側から小指側に向かって連続して延在している。このインナーフットウェア２６の先端部分には、足袋のような分岐はない。このインナーフットウェア２６では、その先端部分の形状は複雑ではない。このインナーフットウェア２６の製造は容易である。このインナーフットウェア２６には、十分な防水処理がなされる。接合部分にける穴の形成が、効果的に抑制される。このインナーフットウェア２６は、防水性に優れる。このインナーフットウェア２６では、セパレータ４６の、足４と接触する部分には、防水用のラテックスは使用されない。このセパレータ４６の、足４と接触する部分には、防水用のシールテープも使用されない。このセパレータ４６を親指と人差し指との間に挟んでも、釣り人は違和感や痛みを感じることもない。このインナーフットウェア２６は、履き心地に優れる。
【産業上の利用可能性】
【００３９】
本発明は、種々のフットウェア及びインナーフットウェアに適用されうる。
【図面の簡単な説明】
【００４０】
【図１】図１は、本発明の一実施形態に係るインナーフットウェアの一部が示された断面図である。
【図２】図２は、図１のII−II線に沿った断面図が示されている。
【図３】図３は、図２のIII−III線に沿った断面図が示されている。
【図４】図４は、本発明の他の実施形態に係るインナーフットウェアの一部が示された断面図である。
【図５】図５は、図４のＶ−Ｖ線に沿った断面図である。
【図６】図６は、図５のVI−VI線に沿った断面図である。
【符号の説明】
【００４１】
２、２６・・・インナーフットウェア
６、３８・・・ソール
８、４０・・・アッパー
１０、４６・・・セパレータ
１２、４２・・・ベース
１４、４４・・・フード
２８・・・本体
３０・・・カップ
【図１】
2010136966.tif 000003
【図２】
2010136966.tif 000004
【図３】
2010136966.tif 000005
【図４】
2010136966.tif 000006
【図５】
2010136966.tif 000007
【図６】
2010136966.tif 000008